(57)【要約】      （修正有）【課題】マンホールの表面に設けられたシリンダーを操作する上向きのキー溝に堆積するゴミや埃をキー操作時に清掃作業をする必要がなく、また、キー溝の上にカバーを装着することを必要とせず、キー紛失時に、マンホールの蓋に装着されているシリンダー自体を交換する必要もないマンホールロックを提供する。【解決手段】マンホールロックは、給電機能付きキー部１と、前記給電機能付きキー部１よりアンテナを介して給電を受けて施解錠を行う受電機能付きロック部１０とを有し、マンホール蓋１５の表面側に施解錠用鍵穴を有しない。また、照合するための個別識別（ＩＤ）の送受信を行う機能を有する。【選択図】図１
2016069958.tif 000002
【特許請求の範囲】
【請求項１】
マンホールロックであり、該マンホールロックは、給電機能付きキー部と、前記給電機能付きキー部より給電を受けて施解錠を行う受電機能付き受電機能付きロック部とを有し、前記マンホール蓋の表面側に施解錠用鍵穴を有しない、
ことを特徴とするマンホールロック。
【請求項２】
マンホールロックであり、該マンホールロックは、給電機能付きキー部と、前記給電機能付きキー部より給電を受け、正当な施解錠権限を有するキー部であるかを確認して施解錠を行う受電機能付き受電機能付きロック部とを有し、前記マンホール蓋の表面側に施解錠用鍵穴を有しない、
ことを特徴とするマンホールロック。
【請求項３】
前記給電機能付きキー部には、先端に回動用係止部を有し、前記受電機能付きロック部には、回動用係止部に係止して回動し、マンホール本体の装着部からの固定が外れるマンホール固定片が設けられた、
ことを特徴とする請求項１または請求項２記載のマンホールロック。
【発明の詳細な説明】
【技術分野】
【０００１】
本発明は、マンホールロックに関するものである。
【背景技術】
【０００２】
従来より、マンホールロックの構造については種々開発され、各種それぞれの構造の提案がなされている。例えば、シリンダーを別組込み部品とした、マンホールロックが一般的で、ロック部に装着するシリンダー部の外形とその寸法は統一されていて、シリンダーを複数の企業が市場に供給している。
【０００３】
運用上マンホールを管理する国土交通省地方整備局は、地域別に同一のキーを使用することが多い。この為、キー紛失等が発生した場合、セキュリティ上即刻対象となるマンホールの監視・警備と共にシリンダーを全て交換する事が必要となる。
（現状が抱える課題）
ところで、電線類の地中化は、国土交通省のガイドラインに基づき、各地方自治体が実施の推進を行っている。その目的は、都市防災の強化、安全で快適な歩行空間の創出、そして美しい街並み景観の形成である。
【０００４】
近年、電線類の中で、セキュリティをより必要とするものに、通信用の光ケーブルが加わった。よってテロ対策等のために、マンホールについてもよりセキュリティ性の高いロックが不可欠となり、暴力的破壊に対する強度性能の向上したもの、そしてそれに加えて不正解錠に対応するため、操作履歴の保存とその監視が可能になるロックが、要望されるようになった。
【０００５】
ここで、現状におけるマンホールロックは、そのセキュリティ性の高いものとして、キー複製がし難いキーと不正解錠し難いメカ式シリンダーが多く採用されている。
【０００６】
しかしながら、マンホールの表面にキー溝が上向きにして設けられており、シリンダーを操作するこのキー溝に、ゴミや埃が堆積し、キー操作時には先ずキー溝の清掃作業をせざるを得ない。また、キー溝の上にカバーを装着することが考えられるが、たとえカバーを装着しても、雨等により内側へ泥水の流入を防ぐことが出来ず、シリンダーが動かなくなるトラブルが起こる。
【０００７】
さらに、キーを紛失したときには、マンホールの蓋に装着されているシリンダー自体を交換しなければならないが、この交換作業は、例えば国道の車道である場合、１ヶ所の交換のために車の通行を遮断し、多くの人を動員し行わなければならない。
【先行技術文献】
【特許文献】
【０００８】
【特許文献１】特開２０１２−２１９４７８号公報
【発明の概要】
【発明が解決しようとする課題】
【０００９】
かくして、本発明は前記従来の課題を解決するために創案されたものであり、マンホールの表面にキー溝が上向きにして設けられ、シリンダーを操作するこのキー溝に、ゴミや埃が堆積し、キー操作時にキー溝の清掃作業をする必要がなく、また、キー溝の上にカバーを装着することを必要とせず、キー紛失時に、マンホールの蓋に装着されているシリンダー自体を交換する必要もないマンホールロックを提供することを目的とするものである。
【課題を解決するための手段】
【００１０】
本発明によるマンホールロックは、給電機能付きキー部と、前記給電機能付きキー部より給電を受けて施解錠を行う受電機能付き受電機能付きロック部とを有し、前記マンホール蓋の表面側に施解錠用鍵穴を有しない、
ことを特徴とし、
また、マンホールロックは、給電機能付きキー部と、前記給電機能付きキー部より給電を受け、正当な施解錠権限を有するキー部であるかを確認して施解錠を行う受電機能付き受電機能付きロック部とを有し、前記マンホール蓋の表面側に施解錠用鍵穴を有しない、
ことを特徴とし、
また、
前記給電機能付きキー部には、先端に回動用係止部を有し、前記受電機能付きロック部には、回動用係止部に係止して回動し、マンホール本体の装着部からの固定が外れるマンホール固定片が設けられた、
ことを特徴とするものである。
【発明の効果】
【００１１】
本発明のマンホールロックであれば、マンホールの表面にキー溝が上向きにして設けられ、シリンダーを操作するこのキー溝に、ゴミや埃が堆積し、キー操作時にキー溝の清掃作業をする必要がなく、また、キー溝の上にカバーを装着することを必要とせず、キー紛失時に、マンホールの蓋に装着されているシリンダー自体を交換する必要もないとの優れた効果を奏する。
【図面の簡単な説明】
【００１２】
【図１】本発明の第１実施例の構成を説明する説明図（１）である。
【図２】本発明の第１実施例の構成を説明する説明図（２）である。
【図３】本発明の第１実施例の構成を説明する説明図（３）である。
【図４】本発明の第１実施例の構成を説明する説明図（４）である。
【図５】本発明の第２実施例の構成を説明する説明図（１）である。
【図６】本発明の第２実施例の構成を説明する説明図（２）である。
【図７】本発明の第２実施例の構成を説明する説明図（３）である。
【図８】本発明の構成を説明するブロック図である。
【発明を実施するための形態】
【００１３】
以下、本発明を図に示す実施例に基づいて説明する。
【実施例１】
【００１４】
図１において、符号１は、給電機能付きキー部を示す。該給電機能付きキー部１は、先端に回動の際に係止する回動部１６を有している。また、符号３は、回動の際に使用する回動用ハンドルである。
【００１５】
ここで、この給電機能付きキー部１は、図８から理解されるように、電池などから構成される電源回路４、発振回路５、給電回路６，時計及び記憶装置７、制御回路８及び送受信部となるアンテナ９を有して構成されている。
また、符号１０は、受電機能付きロック部であり、該受電機能付きロック部１０は、アンテナ９、受電回路１１、整流回路１２、制御回路８，記憶回路１３、駆動装置１４を有して構成されている。
【００１６】
次に、前記給電機能付きキー部１と受電機能付きロック部１０を有する本発明のマンホールロックによるマンホールロックの施解錠操作につき述べる。
図１には、給電機能付きキー部１と、本発明による受電機能付きロック部１０が搭載されたマンホールの蓋１５が記載されている。
給電機能付きキー部１の先端部には、六角状に形成された回動部１６が設けられている。
そして、マンホールの蓋１５には、前記回動部１６に嵌合する六角状の凹部１７が設けられた受電機能付きロック部１０が取り付けられている。
【００１７】
ここで、この受電機能付きロック部１０には、鍵穴を必要とせず、もって、従来のように、鍵穴にゴミ等が侵入して施解錠不可という事態を生じさせることがない。
【００１８】
図２乃至図４、図８を参照してさらに説明する。六角状の回動部１６を凹部１７に嵌合すると、給電機能付きキー部１の電源がアンテナ９を介して受電機能付きロック部１０に送電され、受電機能付きロック部１０の受電回路１１に受電される。該受電機能付きロック部１０に電源が受電されると共に、照合するための個別識別（ＩＤ）が給電機能付きキー部１の時計及び記憶装置７より送出されて送信され、受電機能付きロック部１０では受電した電源で作動すると共に、前記受信したＩＤを記憶回路１３及び制御回路８により照合し、一致したとき、制御回路８及び駆動装置１４が動作し解錠するものとなる。
【００１９】
すなわち、受電機能付きロック部１０内の前記駆動装置１４であるモーター２８が駆動し、モーター連結台形雄ネジ３１を介して、スライド台形雄ネジ３２を下側に移動させる。そして、スライド台形ネジ３２の移動によりスライド角軸３３が下側に移動し、ロックレバー駆動雄ネジ２０の上部溝３４に嵌り込む。すると、前記受電機能つきロック部１０の凹部１７に嵌合した給電機能付きキー部１における回動部１６の回動操作が前記ロックレバー駆動雄ネジ２０に伝わり、マンホール本体１８（図１参照）に係止しているロックレバー１９の係止状態が解除される。すなわち、ロックレバー１９は、図３の状態から９０度回動して、図４の様な状態となる。
【００２０】
そして、その状態から、さらに、給電機能付きキー部１の回動用ハンドル３を操作して右回りに回転させると、ロックレバー駆動雄ネジ２０がロックレバー雌ネジ２１に螺挿している状態において、ロックレバー１９がロックレバー雄ネジ２０の上部に位置するまで移動することになる（図４参照）。
【００２１】
図４の状態になったとき、給電機能付きキー部１を外し、受電機能付きロック部１０に設けてある吊り上げ用雌ネジ２２に吊り上げ具の雄ネジを螺合させて（図示していない）マンホールの蓋１５をあけることが出来る。
なお、マンホールの蓋１５を閉める操作は、前述したあける操作の逆を行えばよい。
【００２２】
すなわち、図４の状態から回動用ハンドル３を左に回し、ロックレバー１９をマンホール本体１８（図１参照）に係止する状態とする（図３参照）。
そして、給電機能付きキー部１を凹部１７から離脱させると、受電機能付きロック部１０は施錠状態となる。
【００２３】
この様に、受電機能付きロック部１には、鍵穴がなく、給電機能付きキー部１を受電機能付きロック部１０の凹部１７表面に当てることで、給電機能付きキー部１より受電機能付きロック部１０に電源を供給（給電）できる。
【００２４】
尚且つ照合するための個別識別（ＩＤ）をも時計及ぶ記憶装置７より送信でき、受電機能付きロック部１０では受電した電源で作動し、前記受信したＩＤを照合すると共に、一致したとき、電気的に解錠する新しいマンホール用のロックとキーとしてあるのである。
【００２５】
すなわち、キーを給電機能付キーとし、電池など電子部品を内蔵させておくのである。また、時計を内蔵しているタイプもあり、これは受電機能付きロック部１０にキーの操作日時を送るためと、キーを使用する日時や時間を制御するために用いられるものとなる。
【００２６】
また、受電機能付きロック部１０には、複数のＩＤが登録できるため、複数の給電機能付キー部１に対応させることも出来る。
【００２７】
さらに、操作日時と操作ＩＤ番号を履歴として保存するタイプにすることも出来、管理用の給電機能付キー部１０の操作により、それらの履歴データをも送信する機能を付加することが出来る。
【００２８】
また、受電機能付きロック部１０のロックレバー１９先端にマグネットを埋め込んだものと、そのマグネットの有無を、ホールＩＣセンサ部で感知する施解錠監視発報装置２３（図１参照）とを組み合わせることで、ロックの状態を常時監視できるシステムにすることも出来る。
【００２９】
このように、受電機能付きロック部１０は、電源（電池等）を持たず、給電機能付きキー部１より操作時に電磁誘導で電源を供給すると同時にＩＤを非接触送信する仕組みで、受電機能付きロック部１０は、複数の給電機能付キー１に対応できるとともに、それらのＩＤを再登録し直す必要のない自動更新機能を有し、操作履歴を保存し、管理用の給電機能付キー部１には、データを送信する機能を付加することも出来るのである。
【００３０】
ここで、ＩＤの自動更新について述べると、ＩＤは、固定部の複数の文字（英数、記号、カタカナなど）と更新部の１文字（英数）で構成しておく。
そして、更新部は０からスタートし、１、２・・・９、そしてＡ、Ｂ、Ｃと変化して続くルールとしておく。
【００３１】
これは、例えばキーから送信されるＩＤを当初は「ＡＢＣＤ０」として使用していたが、キーの紛失等により、それからはキーＩＤを「ＡＢＣＤ１」とすることで、そのＩＤをロック側が受けると、それより「ＡＢＣＤ０」はＮＧとし、それより「ＡＢＣＤ１」を照合するように受電機能付きロック部が自動的に登録内容を書き換え更新される機能のことである。
【００３２】
以上、本実施例におけるマンホールロックの概略操作を説明すると、給電機能付キー部１の先端形状を回動部１６として例えば、六角にし、受電機能付きロック部１０の凹部１７内にて当てがい、給電（受電部へ）する。その後、ＩＤ照合して解錠（モーター駆動）。その後、回動用ハンドル３を使用して回転操作し、ロックレバー１９をマンホール本体１８から外す。
【００３３】
その後、給電機能付きキー部１を抜く、すなわち、受電機能付きロック部１０の凹部１７から放す。すると、電気的に自動仮施錠（コンデンサーに蓄えた電源で１回動く）の状態となる。すなわち、仮施錠とは、クラッチが外れている状態となり、キーを回しても空転状態となる状態を言う。
【００３４】
ここで、本実施例において、ロックレバー１９の施錠状態と解錠状態の判別は、ロックレバー１９がマンホール本体１８に掛かっているときには、受電機能付きロック部１０部が水平(路面）位置まで上がっている状態になっており、デッドボルトが受けから外れた状態、すなわちロックレバー１９がマンホール本体１８から外れた状態（約１８０度回転）では、受電機能付きロック部１０が引っ込んでいる状態で吊り上げ用雌ネジ２２、すなわちＭ２４のネジ穴が覗くので、それに吊り上げ具の雄ネジを螺合させて、ウインチなどでマンホールの蓋１５を持ち上げ、マンホールをあけるのである。
【実施例２】
【００３５】
図５乃至図７に第２実施例を示す。
【００３６】
ところで、従来のものについては、施錠時は、図６のロックボール２５と同じ機能を有する、従来シリンダーの外周より突出作動するカムやボールによって、シリンダーが抜けない構造となっている。すなわち、ロックのロックレバーを、ハンドルを挿入して回転できないように、従来シリンダー自体が操作穴を塞いでいるのである。
【００３７】
そして、従来マンホールのロックを解錠する際には、従来シリンダーの鍵穴にキーを差し、回転して、従来シリンダーを引き抜き、その後、ハンドルを挿入して、マンホール本体に係止しているロックレバーを回転し、マンホールロックを解錠していたのである。
【００３８】
しかして、本実施例では、従来シリンダーと同じ形状の受電機能付きロック部１０を形成し、当該形成した、従来シリンダーと同じ形状の受電機能付きロック部１０を従来シリンダーの代わりにそのまま使用するものである。すなわち、従来シリンダーの形状と同じ形状をなす図５乃至図７の受電機能付きロック部１０を前記操作穴に挿入するのである。
【００３９】
そして、施錠時は、図５乃至図７に示す受電機能付きロック部１０（シリンダー部）が抜けない状態にあり、操作穴を塞いでいる状態になる。
この時、受電機能付きロック部１０の両サイドのロックボール２５が突出していることで、受電機能付きロック部１０は抜けない状態になる。
【００４０】
ここで、先端にフック片２６がついている給電機能付キー部１をシリンダー部、すなわち、受電機能付きロック部１０の先端面に当て、スイッチ２７を押し、給電しながらＩＤ信号を送る。
【００４１】
受電機能付きロック部１０では、ＩＤ照合され、モーター２８が駆動するとモーター連結軸２９とモーター連結カム３０が噛み合い、モーター連結カム３０が９０℃回転する。そして、スイッチ２７がＯＦＦとなる。
【００４２】
すると、受電機能付きロック部１０の外部両サイドに突出していたロックボール２５が受電機能付きロック部１０内部に収納されるので（図７参照）、給電機能付キー部１に設けられたフック片２６を回転してフックで引っかけ、シリンダーである受電機能付きロック部１０を抜く。
【００４３】
その後、受電機能付きロック部１０を抜いた操作穴にハンドルを挿入して、マンホール本体に係止しているロックレバーを回転し、マンホールロックを解錠するものとなる。
【符号の説明】
【００４４】
１      給電機能付きキー部
３      回動用ハンドル
４      電源回路
５      発振回路
６      給電回路
７      時計及び記憶装置
８      制御回路
９      アンテナ
１０    受電機能付きロック部
１１    受電回路
１２    整流回路
１３    記憶回路
１４    駆動装置
１５    マンホールの蓋
１６    回動部
１７    凹部
１８    マンホール本体
１９    ロックレバー
２０    ロックレバー駆動ネジ
２１    ロックレバー雌ネジ
２２    吊り上げ用雌ネジ
２３    施解錠監視発報装置
２５    ロックボール
２６    フック片
２７    スイッチ
２８    モーター
２９    モーター連結軸
３０    モーター連結カム
３１    モーター連結台形雄ネジ
３２    スライド台形雄ネジ
３３    スライド角軸
３４    上部溝
【図１】
2016069958.tif 000003
【図２】
2016069958.tif 000004
【図３】
2016069958.tif 000005
【図４】
2016069958.tif 000006
【図５】
2016069958.tif 000007
【図６】
2016069958.tif 000008
【図７】
2016069958.tif 000009
【図８】
2016069958.tif 000010